(57)【要約】【課題】電気かみそりのがたつきを抑えることができる電気かみそりのケースを提供する。【解決手段】電気かみそり１のケース１０は、電気かみそり１を収容可能な収容部２０，２１が相互に跨って形成されるとともに、相互にヒンジ部１２にて連結された本体側ケース部材１１及び蓋側ケース部材１３を備える。蓋側ケース部材１３には、ヘッド部３のスイング方向である本体側ケース部材１１側にヘッド３部を押圧する押圧突部３１が設けられる。【選択図】図１
2011172637.tif 000002
【特許請求の範囲】
【請求項１】
使用者が把持可能な本体部と該本体部に対して少なくとも一方向にスイング可能に設けられるヘッド部とを備えた電気かみそりを収容する電気かみそりのケースであって、
前記電気かみそりを収容可能な収容部が相互に跨って形成されるとともに、相互にヒンジ部にて連結された第１及び第２ケース部材を備え、
前記第１ケース部材及び第２ケース部材の少なくとも一方には、前記ヘッド部のスイング方向である他方のケース部材側に前記ヘッド部を押圧する押圧部が設けられたことを特徴とする電気かみそりのケース。
【請求項２】
請求項１に記載の電気かみそりのケースにおいて、
前記電気かみそりは、前記ヘッド部のスイングを所定位置でロック可能に構成されるものであり、
前記押圧部は、前記ヘッド部のロック時において前記ヘッド部と所定の押圧力以上で当接した際には押圧方向とは逆側に弾性変形可能に構成されたことを特徴とする電気かみそりのケース。
【請求項３】
請求項１又は２に記載の電気かみそりのケースにおいて、
前記ヒンジ部は、前記本体部と前記ヘッド部とが並ぶ長手方向一端部に設けられるものであり、
前記押圧部は、前記第１ケース部材及び第２ケース部材の少なくとも一方の前記ヒンジ部寄りに設けられたことを特徴とする電気かみそりのケース。
【請求項４】
請求項１〜３のいずれか一項に記載の電気かみそりのケースにおいて、
前記第１ケース部材は本体側ケース部材であるとともに、前記第２ケース部材は前記本体側ケース部材に対して前記ヒンジ部を介して回動されて開閉される蓋側ケース部材であり、
前記押圧部は、弾性変形可能に構成されるとともに前記蓋側ケース部材に設けられたことを特徴とする電気かみそりのケース。
【発明の詳細な説明】
【技術分野】
【０００１】
本発明は、電気かみそりを収容する電気かみそりのケースに関するものである。
【背景技術】
【０００２】
使用者の体毛を切除する電気かみそりは、その機器本体を衝撃や埃などから守るため、或いは持ち運び時の利便性向上のためなど、様々な理由から電気かみそりのケースに収容されることがある（特許文献１参照）。
【０００３】
また、ケースに収容される近年の電気かみそりにおいて、ヘッド部が本体部に対して前後方向及びこの前後方向と直交する左右方向の少なくとも一方にスイング可能となるように構成されたものが知られている（例えば特許文献２参照）。このような電気かみそりを収容するケースは、電気かみそりのヘッド部を容易に収容すべく寸法公差等を十分に考慮して、ヘッド部を収容する部位がヘッド部よりも大きくなるよう形成されている。
【先行技術文献】
【特許文献】
【０００４】
【特許文献１】特開昭６０−２２２０８１号公報
【特許文献２】特開２００６−４２８９８号公報
【発明の概要】
【発明が解決しようとする課題】
【０００５】
ところで、上記のような電気かみそりのケースでは、電気かみそりのヘッド部を容易に収容すべく、ヘッド部を収容する部位がヘッド部よりも大きく形成されているため、ケース内に電気かみそりを収容してもヘッド部が本体部に対してスイングしてがたつきが発生していた。
【０００６】
本発明は、上記課題を解決するためになされたものであって、その目的は、電気かみそりのがたつきを抑えることができる電気かみそりのケースを提供することにある。
【課題を解決するための手段】
【０００７】
上記課題を解決するために、請求項１に記載の発明は、使用者が把持可能な本体部と該本体部に対して少なくとも一方向にスイング可能に設けられるヘッド部とを備えた電気かみそりを収容する電気かみそりのケースであって、前記電気かみそりを収容可能な収容部が相互に跨って形成されるとともに、相互にヒンジ部にて連結された第１及び第２ケース部材を備え、前記第１ケース部材及び第２ケース部材の少なくとも一方には、前記ヘッド部のスイング方向である他方のケース部材側に前記ヘッド部を押圧する押圧部が設けられたことをその要旨とする。
【０００８】
この発明では、電気かみそりを収容可能な収容部が相互に跨って形成されるとともに、相互にヒンジ部にて連結された第１及び第２ケース部材を備え、第１ケース部材及び第２ケース部材の少なくとも一方には、ヘッド部のスイング方向である他方のケース部材側にヘッド部を押圧する押圧部が設けられる。このように、ヘッド部が一方のケース部材に設けられる押圧部によってヘッド部のスイング方向である他方のケース部材側に押圧されることで、ケース内においてヘッド部が本体部に対して相対的にスイングすることを抑えることができる。このため、ケース内での電気かみそり（ヘッド部）のがたつきを抑えることができる。
【０００９】
請求項２に記載の発明は、請求項１に記載の電気かみそりのケースにおいて、前記電気かみそりは、前記ヘッド部のスイングを所定位置でロック可能に構成されるものであり、前記押圧部は、前記ヘッド部のロック時において前記ヘッド部と所定の押圧力以上で当接した際には押圧方向とは逆側に弾性変形可能に構成されたことをその要旨とする。
【００１０】
この発明では、電気かみそりは、ヘッド部のスイングを所定位置でロック可能に構成されるものであり、押圧部は、ヘッド部ロックの時においてヘッド部と所定の押圧力以上で当接した際には押圧方向とは逆側に弾性変形可能に構成される。このように、押圧部がヘッド部ロック時においてヘッド部と所定の押圧力以上で当接した際には押圧方向とは逆側に変形されるため、必要以上にヘッド部を押圧してヘッド部及びケース間での過度の負荷を生じないようにすることができる。
【００１１】
請求項３に記載の発明は、請求項１又は２に記載の電気かみそりのケースにおいて、前記ヒンジ部は、前記本体部と前記ヘッド部とが並ぶ長手方向一端部に設けられるものであり、前記押圧部は、前記第１ケース部材及び第２ケース部材の少なくとも一方の前記ヒンジ部寄りに設けられたことをその要旨とする。
【００１２】
この発明では、ヒンジ部は、本体部とヘッド部とが並ぶ長手方向一端部に設けられるものであり、第１ケース部材及び第２ケース部材の少なくとも一方のヒンジ部寄りに押圧部が設けられる。このように、押圧部をヒンジ部寄りに配置することで押圧部がヘッド部に当接して発生する反力を小さくすることができるため、第１ケース部材と第２ケース部材とをヒンジ部中心に相対的に回動させてケースを容易に閉じることができ、ケースの利便性向上を図ることができる。
【００１３】
請求項４に記載の発明は、請求項１〜３のいずれか一項に記載の電気かみそりのケースにおいて、前記第１ケース部材は本体側ケース部材であるとともに、前記第２ケース部材は前記本体側ケース部材に対して前記ヒンジ部を介して回動されて開閉される蓋側ケース部材であり、前記押圧部は、弾性変形可能に構成されるとともに前記蓋側ケース部材に設けられたことをその要旨とする。
【００１４】
この発明では、第１ケース部材は本体側ケース部材であるとともに、第２ケース部材は本体側ケース部材に対してヒンジ部を介して回動されて開閉される蓋側ケース部材である。つまり、ケースは本体側ケース部材の収容部に電気かみそりを収容した状態で蓋側ケース部材を回動させることで開閉されるものである。このような構成において、押圧部が弾性変形可能に構成されるため、例えば押圧部を本体側ケース部材に設けると、本体側ケース部材に電気かみそりを収容する際に押圧部が弾性変形するため、安定して電気かみそりを収容することが難しい。そのため、押圧部を蓋側ケース部材に設ける構成、つまり電気かみそりを先に収容する本体側ケース部材に押圧部を設けない構成とすることで、安定して電気かみそりを収容することが可能となる。
【発明の効果】
【００１５】
本発明によれば、電気かみそりのがたつきを抑えることができる電気かみそりのケースを提供することができる。
【図面の簡単な説明】
【００１６】
【図１】本実施形態における電気かみそり及びケースの斜視図。
【図２】（ａ）（ｂ）は、ヘッド部のスイングをロックするロック機構について説明するための電気かみそりの部分背面図。
【図３】ヘッド部がスイング可能状態の場合の電気かみそり及びケースの断面図。
【図４】ヘッド部がロック状態の場合の電気かみそり及びそのケースの断面図。
【発明を実施するための形態】
【００１７】
以下、本発明を具体化した一実施形態を図面に従って説明する。
図１は、本実施形態の電気かみそり及びそれを収容するケースの斜視図を示す。本実施形態の電気かみそり１は、使用者の把持に適した細長の把持本体部２と、この把持本体部２の長手方向一端側に設けられるヘッド部３とを有している。ヘッド部３は、把持本体部２の上端部に設けられた図示しない支持機構にて幅方向に沿った回動軸を中心として前後方向にスイング可能に支持されている。また、ヘッド部３は、ロック機構（図示略）により前後方向へのスイングを所定位置でロックすることができるようになっている。このロック機構は、図２（ａ）（ｂ）に示すように、電気かみそり１の把持本体部２に設けられる上下スライド部材４を上下（長手）方向にスライド操作させることで、ロック状態と、スイング可能状態とに切替えできるようになっている。
【００１８】
図２（ａ）（ｂ）に示すように、ヘッド部３の上端部にはヘッド部３に内蔵されるモータ５の駆動に基づいて幅方向に往復駆動される可動刃６が設けられるとともに、この可動刃６の外側に配置される固定刃（図示略）とで体毛を挟み込んで切除できるようになっている。なお、モータ５は、把持本体部２内部に収容される電源７（図１参照）と電気的に接続されるとともに、把持本体部２の前面側に設けられる操作スイッチ（図示略）の操作に基づき駆動されるようになっている。
【００１９】
上記のように構成された電気かみそり１を収容するケース１０は、本体側ケース部材１１と、この本体側ケース部材１１の長手方向一端部に設けられるヒンジ部１２により相対的に回動可能に設けられる蓋側ケース部材１３とを有している。つまり、本実施形態のケース１０は、本体側ケース部材１１に対してヒンジ部１２を中心として蓋側ケース部材１３を開閉可能に構成されている。
【００２０】
また、本体側ケース部材１１と蓋側ケース部材１３とでなるケース１０は、図３及び図４に示すように電気かみそり１の把持本体部２を収容支持する本体収容部２０と、ヘッド部３を収容するヘッド収容部２１とがそれぞれ両ケース部材１１，１３に跨って形成される。即ち、本体側ケース部材１１には本体収容凹部２０ａとヘッド収容凹部２１ａとが備えられるとともに、蓋側ケース部材１３には本体収容凹部２０ｂとヘッド収容凹部２１ｂとがそれぞれ形成されている。
【００２１】
本体収容部２０は、電気かみそり１の把持本体部２と当接する少なくとも５つの当接支持部２２ａ〜２２ｅを備えている。この当接支持部２２ａ〜２２ｅは、本体側ケース部材１１に設けられるとともに把持本体部２の後面側上端部２ａ及び下端部２ｂと当接する当接支持部２２ａ，２２ｂと、この当接支持部２２ａ，２２ｂの略中間位置に設けられるとともに把持本体部２の後面２ｃと当接する当接支持部２２ｃと、蓋側ケース部材１３に設けられるとともに把持本体部２の前面側上端部２ｄ及び下端部２ｅと当接する当接支持部２２ｄ，２２ｅとで構成される。このような構成の複数の当接支持部２２ａ〜２２ｅにて電気かみそり１の把持本体部２が本体収容部２０に収容される際には、多くの当接支持部２２ａ〜２２ｅにて支持されるため安定した状態で収容することができるようになっている。
【００２２】
ヘッド収容部２１は、本体側ケース部材１１及び蓋側ケース部材１３の長手方向一端部側であるヒンジ部１２寄りの収容空間であるとともに、前後方向（厚み方向）にスライドするヘッド部３の前後方向の厚みに十分対応できる大きさの収容空間が形成されている。また、ヘッド収容部２１における蓋側ケース部材１３のヘッド部３との対応位置にはエラストマ等の弾性部材からなるカバー部３０が装着されている。
【００２３】
カバー部３０には、本体側ケース部材１１（ヘッド部３）側に突状をなしてカバー部３０と蓋側ケース部材１３との間に所定の空間部Ｘを有することで構成される押圧突部３１が幅方向中央部に形成されている。この押圧突部３１は、ヘッド部３がスイング可能状態である場合に、ヘッド部３と当接して所定の押圧力を生じさせて押圧突部３１と本体側ケース部材１１の底部とでヘッド部３を挟持するよう構成されている。また、押圧突部３１は、ヘッド部３が前記ロック機構によりロックされて押圧突部３１側にヘッド部３が位置する場合には、押圧突部３１が突出方向と逆側である空間部Ｘ側に弾性変形してヘッド部３及びケース１０（蓋側ケース部材１３）の間で過度な力が生じないように構成されている。このため、ヘッド部３をロックする前記ロック機構と、各ケース部材１１，１３を回動可能に連結するヒンジ部１２等に過度な負荷が生じないようになっている。
【００２４】
また、蓋側ケース部材１３の長手方向におけるヒンジ部１２側の反対側の端部には、長手方向にスライド可能なスライド部材３５が設けられる。このスライド部材３５は蓋側ケース部材１３及び本体側ケース部材１１が互いに密着した状態、つまり本体側ケース部材１１の開口を蓋側ケース部材１３で閉塞した閉状態で前記スライド部材３５により本体側ケース部材１１の下端部１１ａと係止して各ケース部材１１，１３の相対的な回動が規制されて電気かみそり１を収容するようになっている。
【００２５】
上記のように構成されたケース１０では、押圧突部３１が蓋側ケース部材１３の長手方向一端側のヒンジ部１２寄りに設けられるため、蓋側ケース部材１３を回動させて閉じる際に押圧突部３１とヘッド部３とが当接する際に発生される反力を小さくすることができる。これにより、蓋側ケース部材１３を本体側ケース部材１１側に回動させて容易にケース１０を閉状態とすることができるため、ケース１０の利便性を向上させることができるようになっている。また、蓋側ケース部材１３に押圧突部３１が形成されているため、本体側ケース部材１１に電気かみそり１を収容する際には、電気かみそり１（本体部２）を当接支持部２２ａ〜２２ｅにて安定して支持することができる。
【００２６】
次に、本実施形態の特徴的な作用効果を記載する。
（１）電気かみそり１を収容可能な収容部２０，２１が相互に跨って形成されるとともに、相互にヒンジ部１２にて連結された本体側ケース部材１１及び蓋側ケース部材１３を備え、蓋側ケース部材１３には、ヘッド部３のスイング方向である本体側ケース部材１１側にヘッド３部を押圧する押圧突部３１が設けられる。このように、ヘッド部３が蓋側ケース部材１３に設けられる押圧突部３１によってヘッド部３のスイング方向である本体側ケース部材１１側に押圧されることで、ケース１０内においてヘッド部３が把持本体部２に対して相対的にスイングすることを抑えることができる。このため、ケース１０内での電気かみそり１（ヘッド部３）のがたつきを抑えることができる。
【００２７】
（２）電気かみそり１は、ヘッド部３のスイングを所定位置でロック可能に構成されるものであり、押圧突部３１は、ヘッド部３のロック時においてヘッド部３と所定の押圧力以上で当接した際には押圧方向とは逆側に弾性変形可能に構成される。このように、押圧突部３１がヘッド部３のロック時においてヘッド部３と所定の押圧力以上で当接した際には押圧方向とは逆側に変形されるため、必要以上にヘッド部３を押圧してヘッド部３及びケース１０間での過度の負荷を生じないようにすることができる。
【００２８】
（３）ヒンジ部１２は、把持本体部２とヘッド部３とが並ぶ長手方向一端部に設けられるものであり、蓋側ケース部材１３のヒンジ部１２寄りに押圧突部３１が設けられる。このように、押圧突部３１をヒンジ部１２寄りに配置することで押圧突部３１がヘッド部３に当接して発生する反力を小さくすることができるため、本体側ケース部材１１と蓋側ケース部材１３とをヒンジ部１２中心に相対的に回動させる際にケース１０（蓋側ケース部材１３）を容易に閉じることができ、ケース１０の利便性向上を図ることができる。
【００２９】
（４）ケース１０は本体側ケース部材１１の収容部２０，２１（本体収容凹部２０ａ及びヘッド収容凹部２１ａ）に電気かみそり１を収容した状態で蓋側ケース部材１３を回動させることで開閉されるものである。このような構成において、押圧突部３１が弾性変形可能に構成されるため、例えば押圧突部を本体側ケース部材１１に設けると、本体側ケース部材１１に電気かみそり１を収容する際に押圧突部が弾性変形するため、安定して電気かみそり１を収容することが難しい。そのため、押圧突部３１を蓋側ケース部材１３に設ける構成、つまり電気かみそり１を先に収容する本体側ケース部材１１に押圧突部３１を設けない構成とすることで、電気かみそり１を本体側ケース部材１１に安定した状態で収容することが可能となる。
【００３０】
（５）カバー部３０と蓋側ケース部材１３との間に所定の空間部Ｘを有するよう押圧突部３１が形成されているため、ヘッド部３と押圧突部３１が当接する際に空間部Ｘによりカバー部３０（押圧突部３１）を容易に変形させることができる。このため、ヘッド部３に過度な押圧力を作用させることを抑えることができる。
【００３１】
尚、本発明の実施形態は、以下のように変更してもよい。
・上記実施形態では、蓋側ケース部材１３に押圧突部３１を設ける構成としたが、これに加えて本体側ケース部材１１に押圧突部を設ける構成や、本体側ケース部材１１のみに押圧突部を設ける構成を採用してもよい。
【００３２】
・上記実施形態では、押圧突部３１と蓋側ケース部材１３との間に空間部Ｘを形成することで押圧突部３１がヘッド部３のロック時において蓋側ケース部材１３側に弾性変形し易く構成したが、空間部Ｘもエラストマ等で充填した構成の押圧突部を採用してもよい。
【００３３】
・上記実施形態では、特に言及していないが、押圧突部３１の空間部Ｘ内に弾性変形可能なゲル状部材を充填させる構成を採用してもよい。このような構成とすることで押圧突部３１（カバー部３０）の弾性変形に加えてゲル状部材の弾性変形を利用することができるため、弾性変形量の範囲を広げてより好適にヘッド部３のがたつきを抑えることが可能となる。
【００３４】
・上記実施形態では、特に言及していないが、押圧突部３１の空間部Ｘ内にばね部材を設ける構成を採用してもよい。このような構成とすることで、押圧突部３１（カバー部３０）の弾性変形に加えてばね部材の弾性変形を利用することができるため、弾性変形量の範囲を広げてより好適にヘッド部３のがたつきを抑えることが可能となる。
【００３５】
次に、上記実施形態及び別例から把握できる技術的思想を以下に追記する。
（イ）  請求項１又は２に記載の電気かみそりのケースにおいて、
前記押圧部は、弾性変形可能なカバー部と、該カバー部が設けられる前記ケース部材及び前記カバー部の間に形成される空間部とで構成されたことを特徴とする電気かみそりのケース。
【００３６】
このように弾性変形可能なカバー部と、このカバー部が設けられるケース部材及びカバー部の間に形成される空間部とで押圧部が構成されるため、カバー部（押圧部）がヘッド部に当接する際に空間部によりカバー部を容易に変形させることができる。このためヘッド部に対して過度な押圧力を作用させることが抑えられる。
【００３７】
（ロ）  前記（イ）に記載の電気かみそりのケースにおいて、
前記押圧部は、前記空間部内に充填されるゲル状部材を備えたことを特徴とする電気かみそりのケース。
【００３８】
このように空間部内に充填されるゲル状部材を備えて押圧部を構成することで、カバー部の弾性変形に加えてゲル状部材の弾性変形を利用することができるため、弾性変形量の範囲を広げることが可能となる。
【００３９】
（ハ）  前記（イ）に記載の電気かみそりのケースにおいて、
前記押圧部は、前記空間部内にばね状部材を備えたことを特徴とする電気かみそりのケース。
【００４０】
このように空間部内に配置されるばね状部材を備えて押圧部を構成することで、カバー部の弾性変形に加えてばね部材の弾性変形を利用することができるため、弾性変形量の範囲を広げることが可能となる。
【符号の説明】
【００４１】
１…電気かみそり、２…把持本体部（本体部）、３…ヘッド部、１０…ケース、１１…本体側ケース部材（第１ケース部材）、１２…ヒンジ部、１３…蓋側ケース部材（第２ケース部材）、２０…本体収容部（収容部）、２１…ヘッド収容部（収容部）、３０…カバー部、３１…押圧突部（押圧部）、Ｘ…空間部。
【図１】
2011172637.tif 000003
【図２】
2011172637.tif 000004
【図３】
2011172637.tif 000005
【図４】
2011172637.tif 000006